(57)【要約】      （修正有）【課題】カードを切り離しても説明部分がしっかりと本体に残ることで、使い勝手のよいカードゲーム具を提供する。【解決手段】カードゲーム具Ｇは、それぞれのカードが切取用のミシン目を介して連接されたカードページＰ１１，Ｐ１２、カードページＰ２１，Ｐ２２およびカードページＰ３１，Ｐ３２と、カードＣに関する説明文が表示された説明ページＰ４１，Ｐ４２および説明Ｐ５１，Ｐ５２を備えている。表紙および裏表紙となるカードページの見開きページＰ１と、他のカードページの見開きページＰ２，Ｐ３と、説明ページの見開きページＰ４（説明ページの見開きページＰ５）が、順に重ね合わされ、中綴じされている。【選択図】図４
0003177361.tif 000002
【実用新案登録請求の範囲】
【請求項１】
それぞれのカードが切取用のミシン目を介して連接されたカードページと、
前記カードに関する説明文が表示された説明ページとを備え、
前記カードページの見開きページと、前記説明ページの見開きページとが重ね合わされ、中綴じされたことを特徴とするカードゲーム具。
【請求項２】
前記説明ページの見開きページは、表紙および裏表紙となる見開きページを下にしたときに、最上面に配置され、二つ折りされて中綴じされている請求項１記載のカードゲーム具。
【請求項３】
前記説明ページの見開きページは、両面に前記カードに関する説明文が表示されている請求項２記載のカードゲーム具。
【請求項４】
前記表紙および裏表紙となる見開きページとしたカードページの見開きページの表紙側ページの喉側に、タイトルが表示された表題部が位置している請求項２または３記載のカードゲーム具。
【請求項５】
前記カードページの見開きページのミシン目は、上部と、下部と、小口と、喉に、余剰部をつくるように配置されている請求項１から３のいずれかの項に記載のカードゲーム具。
【考案の詳細な説明】
【技術分野】
【０００１】
本考案は、冊子状に綴じ込まれたページからカードを切り離して使用するカードゲーム具に関するものである。
【背景技術】
【０００２】
カードゲーム具としては、トランプやタロットカードのように古くから親しまれているものから、キャラクターを使った対戦形式のゲームのようなものまで様々である。また、歴史上の人物をそれぞれカードした教育用のものも知られている（例えば、特許文献１参照）。
【０００３】
特許文献１に記載のゲーム用歴史年表は、絵柄とその絵柄の説明である歴史的項目を表示した複数の項目表示面が、各時代グループに分けて古い時代から新しい時代へ順に並べて配置され、各項目表示面をトランプカードとしてミシン目で互いに分離し得るものである。
【先行技術文献】
【特許文献】
【０００４】
【特許文献１】実用新案登録第３１１９１６５号公報
【考案の概要】
【考案が解決しようとする課題】
【０００５】
しかし、特許文献１に記載の歴史年表は、１枚の年表シートに、ミシン目により切り離し可能なカードが縦列および横列に並べられ、右辺側の余白部において、表側には使い方の説明が記載されている共に、裏側にはケースの作り方が記載されているため、カードを切り離すと説明部分も、本体から離れてしまい紛失するおそれがある。
そこで本考案は、カードを切り離しても説明部分がしっかりと本体に残ることで、使い勝手のよいカードゲーム具を提供することを目的とする。
【課題を解決するための手段】
【０００６】
本考案のカードゲーム具は、それぞれのカードが切取用のミシン目を介して連接されたカードページと、前記カードに関する説明文が表示された説明ページとを備え、前記カードページの見開きページと、前記説明ページの見開きページとが重ね合わされ、中綴じされたことを特徴とする。
【０００７】
本考案によれば、説明ページが見開きページとなって、カードページの見開きページと一緒に、重ね合わされ中綴じされているため、カードページのカードが切取用のミシン目により切り離されたとしても、しっかりと中綴じされたページとして説明ページを残すことができる。
【０００８】
前記説明ページの見開きページが、表紙および裏表紙となる見開きページを下にしたときに、最上面に配置され、二つ折りされて中綴じされていると、左右均等にページを開いたときに、説明ページが見開きとして開かれるので、説明を読みやすい。
【０００９】
前記説明ページの見開きページが、両面に前記カードに関する説明文が表示されていると、説明ページを本のようにして捲りながら読み進めることができる。
【００１０】
前記表紙および裏表紙となる見開きページとしたカードページの見開きページの表紙側ページの喉側に、タイトルが表示された表題部が位置していると、カードを切り離しても表題部を本体に、説明ページと共に、残すことができる。
【００１１】
前記カードページの見開きページのミシン目が、上部と、下部と、小口と、喉に、余剰部をつくるように配置されていると、冊子の状態で取り扱っているうちにカードの縁部を劣化させてしまうことを防止することができる。
【考案の効果】
【００１２】
本考案は、カードページのそれぞれのカードが切取用のミシン目により切り離されたとしても、しっかりと中綴じされたページとして説明ページをしっかりと本体に残すことができるので、使い勝手がよい。
【図面の簡単な説明】
【００１３】
【図１】本考案の実施の形態に係るカードゲーム具の斜視図である。
【図２】（Ａ）〜（Ｃ）は、カードページの見開きページの印刷面を示す図であり、（Ｄ），（Ｅ）は、説明ページの見開きページのおもて面と裏面とを示す図である。
【図３】図２に示すカードページの見開きページのミシン目を説明するための図である。
【図４】カードページの見開きページと説明ページの見開きページを重ね合わせた状態を説明するための図である。
【図５】表紙となるカードページの見開きページの表題部を残してカードを切り離した状態を示す図である。
【考案を実施するための形態】
【００１４】
本考案の実施の形態に係るカードゲーム具を図面に基づいて説明する。
図１に示す本考案の実施の形態に係るカードゲーム具Ｇは、中綴じされ、冊子状に形成されている。
図２に示すようにカードゲーム具Ｇは、印刷面にカードＣが印刷され、裏面は白紙ページとなっているカードページの見開きページＰ１〜Ｐ３の３枚と、おもて面と裏面とにゲームに関する説明文が印刷された説明ページの見開きページＰ４，Ｐ５の１枚との合計４枚が、針金により綴じ込まれている。
【００１５】
図２（Ａ）に示すカードページの見開きページＰ１は、２枚分のカードＣのスペースにタイトルが表記された表題部Ｔと、ミシン目により連接された７枚のカードＣが印刷された表紙となるカードページＰ１１と、９枚分のカードＣがミシン目により連接されているカードページＰ１２とにより構成されている。図２（Ｂ）に示すカードページの見開きページＰ２は、９枚分のカードＣがミシン目により連接されているカードページＰ２１，Ｐ２２により構成されている。図２（Ｃ）に示すカードページの見開きページＰ３は、カードページの見開きページＰ２と同様に、９枚分のカードＣがミシン目により連接されているカードページＰ３１，Ｐ３２により構成されている。
【００１６】
図３に示すように、カードページの見開きページＰ１〜Ｐ３のミシン目Ｍ１〜Ｍ３は、上部１１と、下部１２と、小口１３と、喉１４に余剰部Ｓをつくるように配置されている。ミシン目Ｍ４は、ミシン目Ｍ１〜Ｍ３に囲まれた領域に、格子状に配置されて、９枚の同サイズのカードＣをそれぞれ切り離し可能としている。余剰部Ｓの印刷面は、縁取りが印刷されている。
【００１７】
図２（Ｄ）および同図（Ｅ）に示すように、説明ページの見開きページＰ４，Ｐ５は、４ページにわたってゲームのルールが表記されたページである。説明ページの見開きページＰ４と説明ページの見開きページＰ５とはおもて面と裏面である。つまり、説明ページの見開きページＰ４の一方の説明ページＰ４１（右側ページ）の裏面が、説明ページの見開きページＰ５の一方の説明ページＰ５１（左側ページ）であり、説明ページの見開きページＰ４の一方の他方の説明ページＰ４２の裏面が説明ページの見開きページＰ５の他方の説明ページＰ５２である。
【００１８】
説明ページＰ４１には、カードゲーム具Ｇの概略説明、勝利条件の説明、ゲームの準備の説明、ゲームの進行の説明などが表示されている。説明ページＰ４１の裏面となる説明ページＰ５１には、カードの種類の説明、カードの置き方の説明などが表示されている。
説明ページＰ５２には、ルールの詳細の説明が表示されている。説明ページＰ５２の裏面となる説明ページＰ４２には、「よくある質問」と、製作スタッフの紹介が表記されている。
【００１９】
以上のように構成された本考案の実施の形態に係るカードゲーム具Ｇは、次のようにして製本される。
図４に示すように、まず、図２（Ａ）に示す表紙および裏表紙となるカードページの見開きページＰ１の印刷面を下にすると共に、カードページの見開きページＰ２，Ｐ３の印刷面を順に下にして重ね、更に、説明ページの見開きページＰ４を下（説明ページの見開きページＰ５を上）にして、最上面に配置する。そして、中央を２本の針金１５により綴じ込み二つ折りすることで、図１に示すカードゲーム具Ｇが完成する。
【００２０】
カードゲーム具Ｇで遊ぶときには、図５に示すように、ミシン目Ｍ１〜Ｍ５に沿ってカードＣを切り離して、説明ページＰ４１，Ｐ４２および説明ページＰ５１，Ｐ５２に表示されたルールに従ってカードＣを置き対戦する。図５は、表題部Ｔを残した状態でカードページＰ１１からカードＣを切り離すと共に、カードページＰ１２と，カードページＰ２１，Ｐ２２と、カードページＰ３１，Ｐ３２から５０枚のカードＣを切り離した状態を示している。５０枚のカードＣを切り離すことによって、表紙の上部１１の余剰部Ｓと、喉１４の余剰部Ｓと、説明ページＰ４１，Ｐ４２と、説明ページＰ５１，Ｐ５２とが綴じ込まれた本体１６だけとなる。
【００２１】
このように、説明ページＰ４１，４２や説明ページＰ５１，Ｐ５２が見開きページとなって、カードページの見開きページＰ１〜Ｐ３と一緒に、重ね合わされ中綴じされているため、カードページＰ１１，Ｐ１２やカードページＰ２１，Ｐ２２、カードページＰ３１，Ｐ３２のカードＣが切取用のミシン目により切り離されたとしても、しっかりと中綴じされたページとして説明ページを残すことができる。従って、カードＣを切り離しても説明部分がしっかりと本体１６に残ることで、使い勝手のよいカードゲーム具とすることができる。
【００２２】
表紙および裏表紙となるカードページの見開きページＰ１を下にしたときに、説明ページの見開きページＰ５が、最上面に配置され、二つ折りされて中綴じされているので、左右均等にページを開いたときに、説明ページＰ５１，Ｐ５２が見開きとして開かれるので、説明を読みやすい。
【００２３】
説明ページの見開きページＰ４，Ｐ５が、両面にカードに関する説明文が表示されているので、説明ページＰ４１，Ｐ５１，Ｐ５２，Ｐ５１を順に本のようにして捲りながら読み進めることができる。
【００２４】
表紙および裏表紙となるカードページの見開きページＰ１の表紙側のカードページＰ１１の喉１４側の上部に、表題部Ｔが位置しており、余剰部Ｓを介して説明ページの見開きページＰ４，Ｐ５に連接されているので、カードＣを切り離しても表題部Ｔを、説明ページＰ４１，Ｐ４２および説明ページＰ５１，Ｐ５２と共に、本体１６に残すことができる。
【００２５】
カードページの見開きページＰ１〜Ｐ３のミシン目が、上部１１と、下部１２と、小口１３と、喉１４に、余剰部Ｓをつくるように配置されていると、冊子の状態で取り扱っているうちにカードＣの縁部を劣化させてしまうことを防止することができる。
【００２６】
なお、本実施の形態では、カードページの見開きページＰ１〜Ｐ３と、表面にゲームに関する説明文が印刷された説明ページの見開きページＰ４，Ｐ５との４枚を、中綴じされた冊子状としているが、カードページの見開きページが増減したり、説明ページの見開きページが増減したり、他のページを差し込んでいてもよい。例えば、説明文が２ページの説明ページで済むときには、説明ページ見開きページの裏面は白紙ページとしたり、説明ページが４ページで入り切らない場合には、説明ページの見開きページを２枚以上としたりすることができる。このとき、プレーマットと称されるゲーム盤などを挟み込み場合には、冊子の中央の見開きページとして挟み込みことで、針金の折り曲げを起こしてゲーム盤を取り外して、再度、倒して説明ページの見開きページを綴じ込めば、本体を冊子状とすることができる。
更に、本実施の形態では、４枚の見開きページを綴じた冊子であるため針金１５により仮止めしているが、接着剤により各ページを止めてもよい。
【産業上の利用可能性】
【００２７】
本考案は、キャラクターを使用した対戦形式のカードゲーム具だけでなく、トランプや占いカードなどにおいても好適である。
【符号の説明】
【００２８】
Ｇ  カードゲーム具
Ｐ１〜Ｐ３  カードページの見開きページ
Ｐ４，Ｐ５  説明ページの見開きページ
Ｐ１１，Ｐ１２，Ｐ２１，Ｐ２２，Ｐ３１，Ｐ３２  カードページ
Ｐ４１，Ｐ４２，Ｐ５１，Ｐ５２  説明ページ
Ｍ１〜Ｍ４  ミシン目
Ｃ  カード
Ｔ  表題部
Ｓ  余剰部
１１  上部
１２  下部
１３  小口
１４  喉
１５  針金
１６  本体
0003177361.tif 000003
【手続補正書】
【提出日】平成24年5月24日(2012.5.24)
【手続補正１】
【補正対象書類名】図面
【補正対象項目名】全図
【補正方法】変更
【補正の内容】
【図３】
0003177361.tif 000004
【図１】
0003177361.tif 000005
【図２】
0003177361.tif 000006
【図４】
0003177361.tif 000007
【図５】
0003177361.tif 000008